(57)【要約】【課題】分液作業や濾過作業等が完全に終了するまで待たなくてもよく、分液や濾過等の実験作業を並行して効率良く行え、操作性のよい回転スタンドを提供する。【解決手段】回転スタンドＳは、台座部２と、台座部の中心から上方に垂設された支持軸部３と、支持軸部に支持された複数の受け部６ａを有するホルダー部４とを備えるスタンド１と、その台座部２の下面に固定された回転台１０とを備える。ホルダー部４は複数の受け部６ａを円周上に有し、支持軸部３に回転可能に支持されるホルダー板６を有する。【選択図】　図１
2004113856.tif 000002
【特許請求の範囲】
【請求項１】
台座部と、該台座部から上方に垂設された支持軸部と、該支持軸部に支持された複数の受け部を有するホルダー部と、前記台座部の下面に固定された回転台とを備える回転スタンド。
【請求項２】
前記ホルダー部は、前記複数の受け部を円周上に有し、前記支持軸部に回転可能に支持されるホルダー板を有することを特徴とする請求項１に記載の回転スタンド。
【請求項３】
前記ホルダー部は、前記台座部からの上下位置を調整可能であることを特徴とする請求項１又は２に記載の回転スタンド。
【請求項４】
前記複数の受け部は、前記ホルダー部の外周に開口し、円形であることを特徴とする請求項１〜３のいずれかに一項に記載の回転スタンド。
【発明の詳細な説明】
【０００１】
【発明の属する技術分野】
本発明は、実験室等でロート等の実験器具を支持する実験等に使用するスタンドに係り、特に、複数の実験器具を支持して分析等の作業を効率良く行うことができる回転式のスタンドに関する。
【０００２】
【従来の技術】
従来、実験室等で使用し、ロート等を支持する実験スタンドは、分液ロート台や濾過ロート台等の実験スタンドのホルダー部は回転するが台座部分が回転するものはなかった。このため、多検体処理をする場合、正面の検体を先に処理したあと、ビーカー等の回収容器を外して次の検体を正面に移動させ、１つずつ処理をしていた。
【０００３】
【発明が解決しようとする課題】
ところで、前記構造の実験スタンドは、分液ロートで油試料を分液してビーカーや試験管等に回収する場合、油分は分液ロート内壁表面への付着力が高く、略完全に回収するまでには時間が長くかかる。特に、これらの試料を多数処理する場合、分液された試料を１つひとつ回収しており、時間がかかりすぎるという問題があった。また、濾過ロート台を用いた濾過作業でも時間がかかり作業が煩雑であるという同様の問題があった。
【０００４】
本発明は、このような問題に鑑みてなされたものであって、その目的とするところは、複数の分液ロートや濾過ロート等を支持して、分液作業や濾過作業等が完全に終了するまで待たなくてもよく、分液や濾過等の実験作業を並行して効率良く行えると共に、操作性に優れた実験等に最適な回転スタンドを提供することにある。
【０００５】
【課題を解決するための手段】
前記目的を達成すべく、本発明に係る回転スタンドは、台座部と、この台座部から上方に垂設された支持軸部と、この支持軸部に支持された複数の受け部を有するホルダー部と、台座部の下面に固定された回転台とを備えることを特徴とする。回転台は扁平状のものが好ましく、平行な上面と下面とを有し、下面に対して上面が回転できる構成を有する。ホルダー部と台座部とは任意の間隔で平行に配置され、ホルダー部にロート等を支持して、下方の台座部にビーカー等を設置し、分液や濾過等の実験を行うものである。
【０００６】
前記のごとく構成された本発明の回転スタンドは、例えば濾過実験を行うときに、ホルダー部の１つの受け部にロートを支持すると共に下方の台座部にビーカー等の受け容器を載置し、ロートに濾紙をセットして溶液等の検体を注入し、濾過された溶液を台座部に載置されたビーカー等で受けて実験を行う。そして、濾過作業を続けながら台座部を下面の回転台で回転して他の受け部を正面に位置させ、正面に位置させた別の受け部に同様にロートを支持すると共に下方の台座部にビーカーを載置することにより、別の溶液の濾過実験を行うことができる。このようにして、濾過等の時間を要する実験を並行して行うことができるため作業時間を短縮でき、多数の溶液の濾過を効率良く行え、しかもロートの支持やビーカーの載置が正面で行えるため作業が容易となり溶液のこぼれ等の不具合を防止できる。
【０００７】
本発明に係る回転スタンドの好ましい具体的な態様としては、ホルダー部は、複数の受け部を円周上に有し、支持軸部に回転可能に支持されるホルダー板を有することを特徴とする。ホルダー部は円形のホルダー板を有することが好ましく、複数の受け部は円形の外周に沿って形成される。この構成によれば、ホルダー部の複数の受け部へのロート等の支持が円周上に沿って容易に行え、実験作業等の効率を高めることができる。
【０００８】
また、本発明に係る回転スタンドの好ましい具体的な他の態様としては、ホルダー部は、台座部からの上下位置を調整可能であることを特徴とする。この構成によれば、台座部にビーカーの他に背の高いメスシリンダー等の容器を載置することができ、実験作業に適する実験器具を選択でき、作業の効率を高めることができる。
【０００９】
さらに、本発明に係る回転スタンドの好ましい具体的な他の態様としては、複数の受け部は、前記ホルダー部の外周に開口し、円形であることを特徴としている。この構成によれば、ホルダー部にロート等の実験器具を支持するとき、側方の開口から実験器具を挿入できるため容易に支持させることができ、実験作業の効率を高めることができる。
【００１０】
【発明の実施の形態】
以下、本発明に係る回転スタンドの一実施形態を図面に基づき詳細に説明する。図１は、本実施形態に係る回転スタンドの断面図、図２は、図１の下方から見た斜視図、図３は図１のＡ−Ａ線に沿う回転台の断面図である。
【００１１】
図１〜３において、回転スタンドＳは、上部のスタンド１と下部の回転台１０とから構成されている。スタンド１はビーカー等の実験器具を載置する円盤状の台座部２と、この台座部の中心から上方に垂設された支持軸部３と、この支持軸部の任意の位置に固定されるホルダー部４とを備えている。ホルダー部４は支持軸部３に止めねじ５ａで固定される固定軸部５と、この固定軸部に回転可能に連結されロート等の複数の実験器具を支持する円盤状のホルダー板６とを有する。ホルダー板６は円周上に６個の受け部６ａを形成してある。受け部６ａはホルダー板６の外周に開口する略円形をしており、略円形の周囲で例えばロートの逆円錐部を支持するものである。
【００１２】
台座部２は、例えばプラスチック等の円盤から形成され、その上面に液体等を入れた複数の容器が載置されるため、厚さが５〜１０ｍｍ程度の比較的強度の大きい円盤が好ましい。また、台座部２の直径は回転台１０の直径より大きく形成され、台座部２の外周は回転台１０より突出しており、この突出部を手で持って台座部２を回転させることができる。台座部２を回転させると、これに伴ってスタンド１を回転できる。支持軸部３は下端が台座部２の中心にねじ止めされており、本実施の形態では下端の外径が大きいプラスチックの丸棒から形成されている。なお、支持軸部３は金属製や木製の丸棒材から形成してもよい。
【００１３】
ホルダー部４の固定軸部５は、支持軸部３が挿入される孔が中心に垂直方向に形成され、水平方向に形成されたねじ孔にねじ込まれた止めねじ５ａで上下方向の任意の位置に固定することができ台座部２からの上下位置を調整可能であり、上面には上方に開口する円周溝部５ｂが同心的に形成されている。ホルダー板６は厚さが５〜１０ｍｍ程度の比較的強度の大きいプラスチック円盤から形成され、中心には支持軸部３が挿入可能の中心孔が垂直方向に形成され、この中心孔の周囲には固定軸部５の円周溝部５ｂに回転可能に嵌合する円筒部６ｂが下方に突出形成されている。
【００１４】
ホルダー板６の円周上に形成された６個の受け部６ａは、直径が８０〜９０ｍｍ程度の円形で一部が外周に向けて開口した開口部６ｃとなっている。受け部６ａは、断面が例えばロートを受けやすいように傾斜面となっていると好適であり、一例としてホルダー板６の板厚が７〜８ｍｍ、上側の直径が約９０ｍｍ、下側の直径が約８５ｍｍの傾斜面に形成すると傾斜角が上に開く４５°程度となり好ましい。この開口部６ｃの開口幅は受け部６ａの円形の直径に対して小さく、３０〜３５ｍｍ程度が好ましく、開口部６ｃに例えばロートの下方のパイプ状の滴下部２０ａを通すことができる。なお、受け部６ａの数は６個に限らず、任意の数とすることができる。
【００１５】
そして、本発明の回転スタンドＳは、前記のスタンド１の台座部２の下面に固定された回転台１０を備えることを特徴としている。回転台１０は、下部円盤１１と上部円盤１２とが回転自在に連結されるもので、本実施の形態では滑らかに回転できるように、下部円盤１１と上部円盤１２との間に複数のベアリング球を支持するフレーム１５を備えており、上下の円盤１１，１２は中心のスナップフィット部１３により回転自在に連結されており、下部円盤１１の下面と上部円盤１２の上面は平行で下面に対して上面が回転できる構成となっている。
【００１６】
下部円盤１１は、外周が上方に立上った立上り部１１ａとなっており、上部円盤１２は外周が下方に垂下した垂下部１２ａとなっており、立上り部１１ａと垂下部１２ａとは僅かな間隙を有して対向している。なお、中心スナップフィット部１３の代わりに、中心ねじで上下の円盤を回転自在に連結してもよく、中心軸を圧入等により一方の円盤に固定し、他方の円盤を中心軸に回転自在に連結する構成でもよい。
【００１７】
フレーム１５は大円周上に９０度の等間隔に配置された４個のベアリング球１６を支持する球受け部１５ａと、小円周上に等間隔に配置された４個のベアリング球１７を支持する球受け部１５ｂとが同心的に連結された骨組みで構成されている。下部円盤１１の上面にはフレーム１５のベアリング球１６，１７が位置する２つの円周に対応する２条の円周レール部１１ｂが形成され、上部円盤１２の下面にも同様に２条の円周レール部１２ｂが形成されている。円周レール部１１ｂ，１２ｂの断面の曲率半径は、ベアリング球１６，１７の半径と等しいか僅かに大きい半径が好ましい。
【００１８】
このように回転台１０は、上下の円盤１１，１２と、それらの中間に位置するフレーム１５とから構成され、上下の円盤１１，１２は８個のベアリングボールを介して滑らかに回転できるように連結されている。なお、回転台１０は前記のフレームを有する構成に限られず、２枚の滑らかな円盤が回転軸を中心にスリップするような単純な構成のものでもよい。
【００１９】
回転台１０とスタンド１の台座部２とは複数の連結ねじとして、皿ねじ１８で固定されている。すなわち、台座部２には断面が逆円錐台状の連結孔が形成され、回転台１０の上部円盤１２には連結孔に対応してねじ孔が形成され、皿ねじ１８が連結孔を通してねじ孔にねじ込まれ、両者が連結固定されている。台座部２の連結孔には皿ねじ１８の頭部が挿入されており、台座部２の上面は平坦となっているため、上面に実験用器具等を安定して載置することができる。なお、連結ねじは上部が皿状のタッピングねじでもよい。
【００２０】
前記の如く構成された本実施形態の回転スタンドＳの動作について、例えばホルダー部４にロート２０を支持すると共に台座部２にビーカー２１を載置し、ロート２０内に注入された液体を濾過する実験について説明する。先ず、載置するビーカー２１の高さと、使用するロート２０の長さに応じてホルダー部４を受ける固定軸部５の位置を調整する。すなわち、止めねじ５ａを緩めて固定軸部５を支持軸部３に沿って上下させ、所望の高さの場所で止めねじ５ａを締め込んで支持軸部３に固定し、ホルダー部４と台座部２との距離を設定する。
【００２１】
ホルダー板６の受け部６ａにロート２０の下方の滴下部２０ａを挿入し、ロート２０の逆円錐部を円形の受け部６ａに当接させる。そして、滴下部２０ａの下方の台座部２にビーカー２１を載置する。ロート２０の逆円錐部内面に濾紙を敷き、検体としての溶液を濾紙上に注入すると、濾紙で濾過された液体がロート２０の滴下部２０ａから滴下する。この検体については濾過が終了するまで放置される。本実施形態の回転スタンドＳは、台座部２の周囲を手で回転させることにより、１番目の検体の濾過作業を中断することなく正面から移動することができ、２番目以降の検体の濾過作業を並行して実施することができる。
【００２２】
回転台１０から側方に突出している台座部２を指で挟んで６０度回転させると、回転台１０の下部円盤１１に対して上部円盤１２は台座部２と共に回転し、１番目の検体を注入したロート２０及びビーカー２１は濾過をしている状態のまま正面から移動させることができる。そして、ホルダー部４の２番目の受け部６ａが正面に位置するので、この受け部に別のロート２０を支持し、ロート２０の下部に別のビーカー２１を設置する。２番目のロート２０に濾紙を敷き検体を注入して２番目の検体の濾過作業を実施する。このようにして、本実施の形態では６個の検体の濾過作業を並行して実施することができるため、長時間を要する濾過作業の効率化を図ることができる。
【００２３】
６個の検体の濾過作業中に、濾過が先に終了した検体があると、台座部２を回転して終了した検体を正面側に移動してロート２０やビーカー２１を外すことができるため終了後の作業も効率良く行え、片付け作業も容易に行える。また、他の濾過作業継続中の検体の濾過を中断することがないため作業時間を短縮でき、他の容器を倒して検体をこぼす等の不都合を防止して作業効率を高めることができる。なお、実験作業としては濾過作業の他に分液作業や他の作業にも適用できることは勿論である。
【００２４】
本実施形態の回転スタンドは、台座部２を持って回転することによりスタンド１全体を回転させることができるものであるが、ホルダー部４のホルダー板６のみを支持軸部３を中心として回転させることもできる。すなわち、ホルダー板６の円筒部６ｂが固定軸部５の円周溝部５ｂに上方から挿入されて回転自在に嵌合しており、ホルダー板６の外周を手で持って固定軸部５に対して回転させることができると共に、ホルダー板６を上方に持ち上げて容易に取外すことができる。このため、例えばロート２０を６個支持した状態のホルダー板６を持ち上げ、そのまま洗浄することや、そのまま持ち運ぶことができる。なお、ホルダー板と固定軸部とは回転自在で、着脱不能に結合するように構成してもよい。
【００２５】
つぎに、本発明の他の実施形態を図４に基づき詳細に説明する。図４は本発明に係る回転スタンドの他の実施形態の断面図である。なお、この実施形態は前記した実施形態に対し、ホルダー部の固定軸部とホルダー板とが回転自在でなく固定されており、回転台の構成が異なることを特徴とする。そして、他の実質的に同等の構成については同じ符号を付して詳細な説明は省略する。
【００２６】
図４において、ホルダー部２４は固定軸部２５とホルダー板２６とが圧入、かしめ、又は溶接等により固定されている。このため、ホルダー板２６を固定軸部２５に対して回転させることはできない構成となっており、固定軸部２５は止めねじ２５ａで支持軸部３の任意の位置に固定される。ホルダー板２６には外周に沿って円周上に複数の受け部２６ａが形成されている。そして、この受け部にはロート２０等が支持できるようになっており、開口部２６ｃが開口している。
【００２７】
回転台３０は下部円盤３１と上部円盤３２とが中心ねじ３３により回転可能に連結されている。下部円盤３１の円周上の複数個所には、ベアリング球３４が上方に付勢されて支持されており、上部円盤３２にはベアリング球３４に対応してレール溝３２ａが形成されている。このため、下部円盤３１に対して上部円盤３２は滑らかに回転することが可能となっている。回転台３０の上部円盤３２に台座部２が連結用の皿ねじ３５で固定されており、台座部２にはビーカーやメスシリンダー２３あるいは試験管等が載置される。
【００２８】
この実施形態においても、スタンド１のホルダー部２４の受け部２６ａにロート２０を支持させて、下方の台座部２にメスシリンダー２３を載置して濾過作業や分液作業を行う場合、台座部２の側方に突出する外周部を指で挟んで回転させることにより濾過作業中のロート２０とメスシリンダー２３は正面から側方に移動でき、正面に位置する別の受け部２６ａに別のロートを支持させ、その下方の台座部に別のメスシリンダーを載置して濾過作業や分液作業を並行して行うことができる。
【００２９】
このため、前記の実施形態と同様に、濾過作業や分液作業等を効率良く実施でき、全体の時間を短縮でき効率を高めることができる。また、作業を正面で行うことができるため濾過、分液作業の他に、片付け等の作業を容易に行え、容器を倒して溶液をこぼす等の不都合を防止することができる。
【００３０】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、本発明の回転スタンドは実験用に限られるものでなく、計測用や展示用等、他の用途に用いるものでもよい。
【００３１】
また、ホルダー部の受け部は外周に開口する円形孔の例を示したが、開口しないものや円形でないもの等、適宜設定できる。ホルダー部はホルダー板と別体の固定軸部から構成される例を示したが、ホルダー板と固定軸部を一体的に形成したものでもよい。スタンドを構成する台座部、支持軸部、及びホルダー部はプラスチックで形成する例を示したが、金属や木で形成するものでもよい。
【００３２】
【発明の効果】
以上の説明から理解できるように、本発明の回転スタンドは、濾過実験等の作業を並行して行うことができるため作業時間を短縮できる。また、実験用等のスタンドの台座部を回転させることで後方に位置する検体をスムーズに正面に移動させることができ、濾過や分液等の実験作業を容易に行え、実験に伴う不具合を防止して実験作業の効率化を図ることができる。
【図面の簡単な説明】
【図１】本発明に係る回転スタンドの一実施形態の断面図。
【図２】図１の回転スタンドを下方から見た斜視図。
【図３】図１のＡ−Ａ線に沿う回転台の断面図。
【図４】本発明に係る回転スタンドの他の実施形態の断面図。
【符号の説明】
Ｓ　回転スタンド、　　１　スタンド、
２　台座部、　　　　　３　支持軸部、
４，２４　ホルダー部、
５，２５　固定軸部、　５ａ，２５ａ　止めねじ、
６，２６　ホルダー板、
６ａ，２６ａ　受け部、
６ｃ，２６ｃ　開口部、
１０，３０　回転台、　　１１，３１　下部円盤、
１２，３２　上部円盤、　１５　フレーム、
１６，１７，３４　ベアリング球、
１８，３５　皿ねじ、
２０　ロート、　　　　　２１　ビーカー、
２３　メスシリンダー、　３３　中心ねじ
【図１】
2004113856.tif 000003
【図２】
2004113856.tif 000004
【図３】
2004113856.tif 000005
【図４】
2004113856.tif 000006